(57)【要約】【課題】本発明は予備の情報記録媒体をその有無や容量等を確認可能な状態で収納するとともに簡単かつ容易に着脱できる予備媒体収納部を本体筐体の外面部分に設けた情報記録再生装置を提供する。【解決手段】デジタルカメラ１は、本体筐体２の外面部分に、種類、記憶容量等の情報記録媒体情報の記載されたラベル部７を有するメモリカード５を収納可能な溝形状の予備メモリカード収納部６が形成され、予備メモリカード収納部６に予備のメモリカード５が収納された状態で、ラベル部７の情報記録媒体情報を視認可能で、かつ、メモリカード５の接点部８を被覆する状態で開口窓１０が形成されている。また、デジタルカメラ１は、予備メモリカード収納部６近傍に、予備のメモリカード５が予備メモリカード収納部６内に収納された状態で、メモリカード５の脱落を防止するロック機構が設けられている。【選択図】　　　　　図１
2004015644.tif 000002
【特許請求の範囲】
【請求項１】
本体筐体内に着脱可能に内蔵される情報記録媒体に情報の記録再生を行う情報記録再生装置において、前記本体筐体の外面部分に、予備の前記情報記録媒体を着脱可能に装着する予備媒体収納部が形成されていることを特徴とする情報記録再生装置。
【請求項２】
前記情報記録再生装置は、前記情報記録媒体が、所定の厚みを有する板形状に形成されており、前記予備媒体収納部が、当該情報記録媒体の板形状に応じた溝形状に形成されていることを特徴とする請求項１記載の情報記録再生装置。
【請求項３】
前記予備媒体収納部は、少なくとも予備の前記情報記録媒体が前記予備媒体収納部内に完全に収納された状態で、当該情報記録媒体に付与されている当該情報記録媒体の種類、記憶容量等の情報記録媒体情報を外部から視認可能な位置に開口窓が形成されていることを特徴とする請求項１または請求項２記載の情報記録再生装置。
【請求項４】
前記予備媒体収納部は、少なくとも予備の前記情報記録媒体が前記予備媒体収納部内に完全に収納された状態で、当該情報記録媒体に形成されている接点部を被覆する形状に形成されていることを特徴とする請求項１から請求項３のいずれかに記載の情報記録再生装置。
【請求項５】
前記情報記録再生装置は、予備の前記情報記録媒体が前記予備媒体収納部内に完全に収納された状態で、当該情報記録媒体に係合して、当該情報記録媒体の脱落を防止するロック機構を備えていることを特徴とする請求項１から請求項４のいずれかに記載の情報記録再生装置。
【請求項６】
所定の厚みを有する板形状に形成され、その一面に種類、記憶容量等の情報記録媒体情報の記載されたメモリカードが本体筐体内に着脱可能に内蔵され、当該メモリカードに情報の記録再生を行う情報記録再生装置において、前記本体筐体の外面部分に、予備の前記メモリカードを収納可能な溝形状の予備媒体収納部が形成され、当該予備媒体収納部に、少なくとも予備の前記メモリカードが前記予備媒体収納部内に完全に収納された状態で、前記情報記録媒体情報を視認可能で、かつ、当該メモリカードの接点部を被覆する状態で開口窓が形成されており、当該予備媒体収納部近傍に、当該予備媒体収納部方向に所定の弾性部材で付勢されているとともに、回転可能にロック部材が設けており、予備の前記メモリカードが前記予備媒体収納部内に完全に収納された状態で、前記ロック部材が前記弾性部材に付勢されて当該メモリカードに係合することを特徴とする情報記録再生装置。
【発明の詳細な説明】
【０００１】
【発明の属する技術分野】
本発明は、情報記録再生装置に関し、詳細には、予備の情報記録媒体を簡単かつ容易に着脱できるとともに、情報記録媒体の情報を収納状態で確認可能な予備媒体収納部を本体筐体の外面部分に設けた情報記録再生装置に関する。
【０００２】
【従来の技術】
近時、メモリカードを内蔵して、撮影した画像（被写体画像）をメモリカードに保存するデジタルカメラが普及してきている。
【０００３】
ところが、メモリカードの記録情報量が比較的少ないことから、撮影記録枚数を増やすために、デジタルカメラでは、画像情報を圧縮することが行われており、多少画質が劣っても記録枚数を優先するときには、高圧縮率モードで画像を圧縮する撮影モードとし、高画質な再生を必要とするときは、圧縮率の低いモードで圧縮する撮影モードとするという使い分けが可能となっている。
【０００４】
しかし、圧縮モードを変更するだけでは、撮影枚数が十分でない場合があるため、予備のメモリカードを所持することが行われている。
【０００５】
そして、従来、予備のメモリカードの携帯性を向上させることを目的とした種々の提案が行われている。
【０００６】
例えば、従来、特許第２９８４２７８号公報には、グリップ部を備えた可搬型情報記録・再生装置であって、上記グリップ部が、予備のカード型記憶媒体の収納部と、この収納部に収納されている当該カード型記憶媒体を外部より視認可能になさしめる透明部材を含んで構成された透明窓と、上記カード型記憶媒体を押圧するための弾性部材と、を備えて構成された可搬型情報記録・再生装置が提案されている。
【０００７】
すなわち、この可搬型情報記録・再生装置は、予備用のメモリカード（カード型記憶媒体）をグリップ部に収納するとともに、収納した後に、そのメモリカードの有無、容量の確認を行えるように、透明窓を設けている。
【０００８】
また、従来、特開平１１−４６３１５号公報に記載されているように、予備用のメモリカードをレンズカバー、バッテリカバーまたはメモリカバーの中に収納する技術が提案されている。
【０００９】
【発明が解決しようとする課題】
しかしながら、このような従来の技術にあっては、予備記録媒体を簡単かつ安価に装着及び取り外しを行う上で、また、予備記録媒体の有無及びその容量の確認を簡単かつ容易に行う上で、改良の必要があった。
【００１０】
すなわち、特許第２９８４２７８号公報記載の従来技術にあっては、予備のカード型記憶媒体が透明窓の形成されたグリップ部に収納するようになっていたため、カード型記憶媒体の装着、取り外しを行うには、グリップ部を取り外す必要があり、操作性が悪く、使いづらいものとなっていた。
【００１１】
また、グリップ部を取り外さないと、カード型記憶媒体の有無及びその容量が確認できないため、わざわざ透明窓が形成されており、価格が高くなるという問題があった。
【００１２】
さらに、情報記録再生装置によっては、グリップ部を必要としないものもあり、このような情報記録再生装置には、適用することができないだけでなく、適用するために、グリップ部を設けると、装置が大型化、重量化するという問題が発生する。
【００１３】
また、特開平１１−４６３１５号公報記載の従来技術にあっては、予備用のメモリカードをレンズカバー、バッテリカバーまたはメモリカバーの中に収納しているため、メモリカードの有無及びその容量を確認するには、カバー類を開閉する必要があり、利用性が悪いという問題があった。
【００１４】
また、情報記録再生装置、特に、デジタルカメラにおいては、カバー類が最も強度が必要とされるものであり、このカバー類にメモリカードを収納する機能を併せ持つようにするためは、カバー類が必要以上に複雑で、大型化するという問題があった。
【００１５】
そこで、請求項１記載の発明は、情報記録再生装置の本体筐体の外面部分に、予備の情報記録媒体を着脱可能に装着する予備媒体収納部を形成することにより、予備の情報記録媒体の有無の確認及び着脱を簡単かつ容易なものとし、安価に利用性を向上させることのできる情報記録再生装置を提供することを目的としている。
【００１６】
請求項２記載の発明は、予備媒体収納部を、所定の厚みを有する板形状の情報記録媒体に応じた溝形状に形成することにより、予備媒体収納部をより簡単かつ小型の形状とし、安価に利用性を向上させることのできる情報記録再生装置を提供することを目的としている。
【００１７】
請求項３記載の発明は、予備媒体収納部に、少なくとも予備の情報記録媒体が予備媒体収納部内に完全に収納された状態で、当該情報記録媒体に付与されている当該情報記録媒体の種類、記憶容量等の情報記録媒体情報を外部から視認可能な位置に開口窓を形成することにより、予備の情報記録媒体の有無をより一層簡単かつ確実に確認できるようにするとともに、当該予備の情報記録媒体の種類や記憶容量等を容易に確認できるようにし、安価により一層利用性を向上させることのできる情報記録再生装置を提供することを目的としている。
【００１８】
請求項４記載の発明は、予備媒体収納部を、少なくとも予備の情報記録媒体が予備媒体収納部内に完全に収納された状態で、当該情報記録媒体に形成されている接点部を被覆する形状に形成することにより、情報記録媒体の接点部が外部からの外力外力や静電気により破壊されることを防止し、情報記録媒体を適切に保護して、安価により一層利用性を向上させることのできる情報記録再生装置を提供することを目的としている。
【００１９】
請求項５記載の発明は、予備の情報記録媒体が予備媒体収納部内に完全に収納された状態で、当該情報記録媒体に係合して、当該情報記録媒体の脱落を防止するロック機構を設けることにより、情報記録媒体が予備媒体収納部内から不用意に脱落するのを防止し、安価により一層利用性を向上させることのできる情報記録再生装置を提供することを目的としている。
【００２０】
請求項６記載の発明は、情報記録再生装置の本体筐体の外面部分に、所定の厚みを有しその一面に種類、記憶容量等の情報記録媒体情報の記載された板形状のメモリカードを収納可能な溝形状の予備媒体収納部を形成し、当該予備媒体収納部に、少なくとも予備のメモリカードが予備媒体収納部内に完全に収納された状態で、情報記録媒体情報を視認可能で、かつ、当該メモリカードの接点部を被覆する状態で開口窓を形成し、当該予備媒体収納部近傍に、当該予備媒体収納部方向に所定の弾性部材で付勢され、かつ、回転可能なロック部材を設けており、予備のメモリカードが予備媒体収納部内に完全に収納された状態で、ロック部材を弾性部材で付勢して当該メモリカードに係合させることにより、予備のメモリカードの有無の確認、その種類と記憶容量の確認及び着脱を簡単かつ容易なものとするとともに、不用意にメモリカードが予備媒体収納部から脱落するのを防止し、安価により一層利用性を向上させることのできる情報記録再生装置を提供することを目的としている。
【００２１】
【課題を解決するための手段】
請求項１記載の発明の情報記録再生装置は、本体筐体内に着脱可能に内蔵される情報記録媒体に情報の記録再生を行う情報記録再生装置において、前記本体筐体の外面部分に、予備の前記情報記録媒体を着脱可能に装着する予備媒体収納部が形成されていることにより、上記目的を達成している。
【００２２】
上記構成によれば、情報記録再生装置の本体筐体の外面部分に、予備の情報記録媒体を着脱可能に装着する予備媒体収納部を形成しているので、予備の情報記録媒体の有無の確認及び着脱を簡単かつ容易なものとすることができ、安価に利用性を向上させることができる。
【００２３】
この場合、例えば、請求項２に記載するように、前記情報記録再生装置は、前記情報記録媒体が、所定の厚みを有する板形状に形成されており、前記予備媒体収納部が、当該情報記録媒体の板形状に応じた溝形状に形成されていてもよい。
【００２４】
上記構成によれば、予備媒体収納部を、所定の厚みを有する板形状の情報記録媒体に応じた溝形状に形成しているので、予備媒体収納部をより簡単かつ小型の形状とすることができ、安価に利用性を向上させることができる。
【００２５】
また、例えば、請求項３に記載するように、前記予備媒体収納部は、少なくとも予備の前記情報記録媒体が前記予備媒体収納部内に完全に収納された状態で、当該情報記録媒体に付与されている当該情報記録媒体の種類、記憶容量等の情報記録媒体情報を外部から視認可能な位置に開口窓が形成されていてもよい。
【００２６】
上記構成によれば、予備媒体収納部に、少なくとも予備の情報記録媒体が予備媒体収納部内に完全に収納された状態で、当該情報記録媒体に付与されている当該情報記録媒体の種類、記憶容量等の情報記録媒体情報を外部から視認可能な位置に開口窓を形成しているので、予備の情報記録媒体の有無をより一層簡単かつ確実に確認できるようにすることができるとともに、当該予備の情報記録媒体の種類や記憶容量等を容易に確認することができ、安価により一層利用性を向上させることができる。
【００２７】
さらに、例えば、請求項４に記載するように、前記予備媒体収納部は、少なくとも予備の前記情報記録媒体が前記予備媒体収納部内に完全に収納された状態で、当該情報記録媒体に形成されている接点部を被覆する形状に形成されていてもよい。
【００２８】
上記構成によれば、予備媒体収納部を、少なくとも予備の情報記録媒体が予備媒体収納部内に完全に収納された状態で、当該情報記録媒体に形成されている接点部を被覆する形状に形成しているので、情報記録媒体の接点部が外部からの外力外力や静電気により破壊されることを防止することができ、情報記録媒体を適切に保護して、安価により一層利用性を向上させることができる。
【００２９】
また、例えば、請求項５に記載するように、前記情報記録再生装置は、予備の前記情報記録媒体が前記予備媒体収納部内に完全に収納された状態で、当該情報記録媒体に係合して、当該情報記録媒体の脱落を防止するロック機構を備えていてもよい。
【００３０】
上記構成によれば、予備の情報記録媒体が予備媒体収納部内に完全に収納された状態で、当該情報記録媒体に係合して、当該情報記録媒体の脱落を防止するロック機構を設けているので、情報記録媒体が予備媒体収納部内から不用意に脱落するのを防止することができ、安価により一層利用性を向上させることができる。
【００３１】
請求項６記載の発明の情報記録再生装置は、所定の厚みを有する板形状に形成され、その一面に種類、記憶容量等の情報記録媒体情報の記載されたメモリカードが本体筐体内に着脱可能に内蔵され、当該メモリカードに情報の記録再生を行う情報記録再生装置において、前記本体筐体の外面部分に、予備の前記メモリカードを収納可能な溝形状の予備媒体収納部が形成され、当該予備媒体収納部に、少なくとも予備の前記メモリカードが前記予備媒体収納部内に完全に収納された状態で、前記情報記録媒体情報を視認可能で、かつ、当該メモリカードの接点部を被覆する状態で開口窓が形成されており、当該予備媒体収納部近傍に、当該予備媒体収納部方向に所定の弾性部材で付勢されているとともに、回転可能にロック部材が設けており、予備の前記メモリカードが前記予備媒体収納部内に完全に収納された状態で、前記ロック部材が前記弾性部材に付勢されて当該メモリカードに係合することにより、上記目的を達成している。
【００３２】
上記構成によれば、情報記録再生装置の本体筐体の外面部分に、所定の厚みを有しその一面に種類、記憶容量等の情報記録媒体情報の記載された板形状のメモリカードを収納可能な溝形状の予備媒体収納部を形成し、当該予備媒体収納部に、少なくとも予備のメモリカードが予備媒体収納部内に完全に収納された状態で、情報記録媒体情報を視認可能で、かつ、当該メモリカードの接点部を被覆する状態で開口窓を形成し、当該予備媒体収納部近傍に、当該予備媒体収納部方向に所定の弾性部材で付勢され、かつ、回転可能なロック部材を設けており、予備のメモリカードが予備媒体収納部内に完全に収納された状態で、ロック部材を弾性部材で付勢して当該メモリカードに係合させているので、予備のメモリカードの有無の確認、その種類と記憶容量の確認及び着脱を簡単かつ容易なものとすることができるとともに、不用意にメモリカードが予備媒体収納部から脱落するのを防止することができ、安価により一層利用性を向上させることができる。
【００３３】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００３４】
図１〜図３は、本発明の情報記録再生装置の一実施の形態を示す図であり、図１は、本発明の情報記録再生装置の一実施の形態を適用したデジタルカメラ装置１の斜視図である。
【００３５】
図１において、デジタルカメラ（情報記録再生装置）１は、略四角形状の本体筐体２の前面側側面にレンズ部３が設けられており、本体筐体２の上面にシャッタ部４が設けられている。なお、デジタルカメラ１の本体筐体２には、図示しないが、その裏面に、レンズ部３で撮影している被写体等の画像を表示する液晶表示部やデジタルカメラ１の各種操作を行う操作部等が設けられている。
【００３６】
デジタルカメラ１は、図示しないが、本体筐体２内に撮影画像の画像データを保存するメモリカード（情報記録媒体）５を収納するメモリカード収納部が形成されており、メモリカード５がこのメモリカード収納部に収納された状態で撮影が行われると、撮影画像の画像データをメモリカード５に記録し、また、必要に応じて、メモリカード５に記録された画像を再生して液晶表示部に表示出力する。このメモリカードは、本体筐体２に設けられたメモリカード収納部の図示しないカバーを開閉することで、メモリカード収納部への装着及び取り出しが行われる。
【００３７】
そして、デジタルカメラ１の側面の上端部には、溝状の予備メモリカード収納部（予備媒体収納部）６が形成されており、予備メモリカード収納部６には、メモリカード５が着脱可能に挿入される。
【００３８】
メモリカード５は、その表面にラベル部７と接点部８が形成されており、接点部８側の一方側の角部には、誤挿入防止用の切り欠き部９が形成されている。ラベル部７には、当該メモリカード５の仕様、特に、メモリの種類や容量等の情報記録媒体情報が記載されており、接点部８は、メモリカード５が本体筐体２内のメモリカード収納部に装着された際に当該メモリカード収納部に形成されているデジタルカメラ１の接点部と接続して、画像データのメモリカード５への記録及び再生が行われる。
【００３９】
切り欠き部９は、メモリカード５のメモリカード収納部及び予備メモリカード収納部６への収納時に、当該メモリカード５の収納方向を規制して、誤挿入を防止するためのものであり、メモリカード５の当該切り欠き部９の形成された角部以外の角部は、切り欠きが形成されておらず、通常の角形状の角部となっている。そして、メモリカード収納部及び予備メモリカード収納部６の内部には、メモリカード５が適切に収納されると、この切り欠き部９と対応する凸部が形成されており、メモリカード５がメモリカード収納部や予備メモリカード収納部６に誤った方向で挿入されると、この凸部がメモリカード５の切り欠き部９以外の角部に当接して、メモリカード５のメモリカード収納部や予備メモリカード収納部への誤挿入を防止する。
【００４０】
予備メモリカード収納部６は、メモリカード５の形状に合わせた溝形状であって、本体筐体２の上部に開口する状態で形成されており、予備メモリカード収納部６の本体筐体２の内部方向の面は、メモリカード５の形状に合わせた形状に形成されており、図１に示すように、メモリカード５が、そのラベル部７及び接点部８が当該予備メモリカード収納部６の本体筐体２の内部方向の面とは反対側になる状態で、図１に矢印で示す方向に挿入される。そこで、予備メモリカード収納部６の内部には、図示しないが、上述のように、メモリカード５の切り欠き部９と対応する凸部が形成されており、メモリカード５がそのラベル部７を本体筐体２の側面が違法に向いた状態を挿入方向として、適正に挿入される場合にのみ、挿入を許容し、その他の方向での挿入を規制する。
【００４１】
予備メモリカード収納部６は、その本体筐体２の外部方向の面に、メモリカード５が予備メモリカード収納部６内に適切に収納された際に、少なくともラベル部７が外部に露出するとともに、接点部８が本体筐体２の側面で覆われる大きさの開口窓１０が形成されており、開口窓１０は、メモリカード５が予備メモリカード収納部６に挿入された際に、メモリカード５のラベル部６を外部から視認できるようにしている。すなわち、上記メモリカード５の切り欠き部９と予備メモリカード収納部６内の凸部で、メモリカード５のラベル部７が開口窓１０側となる状態で収納されるようにメモリカード５の挿入方向を規制する。
【００４２】
そして、予備メモリカード収納部６近辺の本体筐体２には、図２及び図３に示すように、ロック部材１１が設けられており、ロック部材１１は、回転軸１２を介して本体筐体２に回転可能に取り付けられている。ロック部材１１は、その自由端部に爪部１１ａが形成されており、図３に示すように、メモリカード５が予備メモリカード収納部６内に完全に収納されたときに、爪部１１ａがメモリカード５の外方先端部に係合して、メモリカード５が予備メモリカード収納部６内から不用意に脱落するのを防止する。また、このロック部材１１の爪部１１ａ側の先端部は、本体筐体２の外面から突出するか、当該外面側からロック部材１１を回転軸１２を中心として、回転操作可能となっている。
【００４３】
ロック部材１１の他方側の端部には、弾性部材としてのスプリング１３が係合しており、スプリング１３の他端部は、本体筐体２に取り付けられている。スプリング１３は、ロック部材１１を回転軸１２を中心として時計方向に回転させる方向に付勢しており、メモリカード５が予備メモリカード収納部６内に適切に収納されると、図３に示すように、ロック部材１１を時計方向に回転させて、爪部１１ａをメモリカード５の外方先端部に係合させて、メモリカード５が予備メモリカード収納部６内から不用意に脱落するのを防止する。すなわち、ロック部材１１、爪部１１ａ、回転軸１２及びスプリング１３は、全体としてロック機構として機能している。
【００４４】
次に、本実施の形態の作用を説明する。本実施の形態のデジタルカメラ１は、本体筐体２内のメモリカード収納部にメモリカード５が収納された状態で、被写体にレンズ部３を向けてシャッタ部４が押されることで、被写体の画像を撮影して、撮影した被写体の画像の画像データをメモリカード５に記憶させ、操作部で再生が操作されると、メモリカード５に記憶している画像データを再生処理して、液晶表示部に表示させる。
【００４５】
そして、メモリカード５の撮影画像の記憶枚数が比較的少ないことから、予備のメモリカード５を持ち歩くことになるが、本実施の形態のデジタルカメラ１は、本体筐体２の側面部に予備メモリカード収納部６が形成されており、この予備メモリカード収納部６内に予備のメモリカード５を収納することで、簡単かつ容易にメモリカード５を持ち歩くことができる。
【００４６】
また、予備メモリカード収納部６は、メモリカード５の形状に形成されているとともに、メモリカード５のラベル部６がメモリカード５の収納状態で視認可能なように開口窓１０が形成されており、さらに、メモリカード５の予備メモリカード収納部６内への収納方向を規制する凸部がメモリカード５の切り欠き部９に対応して形成されている。
【００４７】
したがって、メモリカード５は、そのラベル部６が開口窓１０側に向いた状態で切り欠き部９の形成されている接点部８側が下側（予備メモリカード収納部６の奥側）となる状態で適切に予備メモリカード収納部６内に収納されると、ラベル部６を開口窓１０を通して視認することができ、ラベル部６に記載されている当該メモリカード５の種類や容量を、メモリカード５を予備メモリカード収納部６から取り出すことなく、確認することができる。
【００４８】
さらに、開口窓１０は、メモリカード５が予備メモリカード収納部６内に適切に収納された状態で、接点部８が本体筐体２の側面で覆われる大きさに形成されているため、接点部８が外部からの外力や静電気により破壊されることを防止することができ、メモリカード５を適切に保護することができる。
【００４９】
また、デジタルカメラ１は、予備メモリカード収納部６近辺の本体筐体２に、回転軸１２を中心として回転可能にロック部材１１が設けられており、ロック部材１１は、その自由端部が爪部１１ａに形成されているとともに、その他方側の端部に、本体筐体２にその一端が固定された弾性部材としてのスプリング１３が係合している。ロック部材１１は、スプリング１３により爪部１１ａが予備メモリカード収納部６方向、すなわち、予備メモリカード収納部６に挿入されるメモリカード５方向に回転する方向に付勢されている。
【００５０】
したがって、メモリカード５が、図２に示したように、予備メモリカード収納部６内に矢印方向に挿入されると、爪部１１ａは、メモリカード５の側面に当接し、メモリカード５が挿入されるに従って爪部１１ａがメモリカード５の側面を滑る状態で、メモリカード５が挿入される。
【００５１】
そして、メモリカード５が予備メモリカード収納部６内に完全に収納されると、図３に示したように、ロック部材１１の爪部１１ａが、矢印で示すように回転軸１２を中心として回転して、メモリカード５の外方先端部に係合する。
【００５２】
したがって、メモリカード５が予備メモリカード収納部６内から不用意に脱落するのをロック部材１１により防止することができる。
【００５３】
また、このロック部材１１の爪部１１ａ側の先端部は、本体筐体２の外面から突出するか、当該外面側からロック部材１１を回転軸１２を中心として、回転操作可能となっており、メモリカード５を予備メモリカード収納部６から取り出す際には、この爪部１１ａを操作してロック部材１１を反時計方向、すなわち、予備メモリカード収納部６の挿入口を開く方向に回転させて、メモリカード５を引き出すことで、メモリカード５を予備メモリカード収納部６から容易に取り出すことができる。
【００５４】
このように、本実施の形態のデジタルカメラ１は、本体筐体２の外面部分に、予備のメモリカード５を着脱可能に装着する予備メモリカード収納部６を形成している。
【００５５】
したがって、予備のメモリカード５の有無の確認及び着脱を簡単かつ容易なものとすることができ、安価に利用性を向上させることができる。
【００５６】
また、本実施の形態のデジタルカメラ１は、予備メモリカード収納部６を、所定の厚みを有する板形状のメモリカード５に応じた溝形状に形成している。
【００５７】
したがって、予備メモリカード収納部をより簡単かつ小型の形状とすることができ、安価に利用性を向上させることができる。
【００５８】
さらに、本実施の形態のデジタルカメラ１は、予備メモリカード収納部６に、少なくとも予備のメモリカード５が予備メモリカード収納部内に完全に収納された状態で、メモリカード５に付与されているメモリカード５の種類、記憶容量等の情報記録媒体情報の記載されているラベル部７を外部から視認可能な位置に開口窓１０を形成している。
【００５９】
したがって、予備のメモリカード５の有無をより一層簡単かつ確実に確認できるようにすることができるとともに、当該予備のメモリカード５の種類や記憶容量等を容易に確認することができ、安価により一層利用性を向上させることができる。
【００６０】
また、本実施の形態のデジタルカメラ１は、予備メモリカード収納部６を、少なくとも予備のメモリカード５が予備メモリカード収納部６内に完全に収納された状態で、当該メモリカード５に形成されている接点部８を被覆する形状に形成している。
【００６１】
したがって、メモリカード５の接点部８が外部からの外力外力や静電気により破壊されることを防止することができ、メモリカード５を適切に保護して、安価により一層利用性を向上させることができる。
【００６２】
さらに、本実施の形態のデジタルカメラ１は、予備のメモリカード５が予備メモリカード収納部６内に完全に収納された状態で、当該メモリカード５に係合して、当該メモリカード５の脱落を防止するロック部材１１、回転軸１２及びスプリング１３からなるロック機構を設けている。
【００６３】
したがって、メモリカード５が予備メモリカード収納部６内から不用意に脱落するのを防止することができ、安価により一層利用性を向上させることができる。
【００６４】
また、本実施の形態のデジタルカメラ１は、本体筐体２の外面部分に、所定の厚みを有しその一面に種類、記憶容量等の情報記録媒体情報の記載されたラベル部７を有する板形状のメモリカード５を収納可能な溝形状の予備メモリカード収納部６を形成し、当該予備メモリカード収納部６に、少なくとも予備のメモリカード５が予備メモリカード収納部６内に完全に収納された状態で、ラベル部７の情報記録媒体情報を視認可能で、かつ、当該メモリカード５の接点部８を被覆する状態で開口窓１０を形成し、当該予備メモリカード収納部６近傍に、当該予備メモリカード収納部６方向にスプリング１３で付勢され、かつ、回転可能なロック部材１１を設けており、予備のメモリカード５が予備メモリカード収納部６内に完全に収納された状態で、ロック部材１１をスプリング１３で付勢して当該メモリカード５に係合させている。
【００６５】
したがって、予備のメモリカード５の有無の確認、その種類と記憶容量の確認及び着脱を簡単かつ容易なものとすることができるとともに、不用意にメモリカード５が予備メモリカード収納部６から脱落するのを防止することができ、安価により一層利用性を向上させることができる。
【００６６】
なお、上記実施の形態においては、ロック部材１１を付勢する弾性部材であるスプリング１３で付勢して、メモリカード５の脱落を防止しているが、ロック部材としては、上記構成のものに限るものではなく、弾性部材でメモリカード５を押さえつけて、脱落を防止できるものであれば、その構成は限定されない。
【００６７】
また、上記実施の形態においては、予備メモリカード収納部６を、本体筐体２の側面上端部に形成しているが、予備メモリカード収納部６の形成位置は、上記位置に限るものではなく、例えば、図４に示すように、本体筐体２の裏面の側端部に形成してもよいし、その他の位置に形成してもよい。
【００６８】
さらに、上記実施の形態においては、予備収納部として、記録媒体としてのメモリカード５を用いた場合について説明したが、予備収納部に収納する媒体としては、メモリカード５に限るものではなく、例えば、通信カードやビデオテープ等を収納するものであってもよい。
【００６９】
また、上記実施の形態においては、情報記録再生装置として、デジタルカメラ１に適用した場合について説明したが、情報記録再生装置としては、デジタルカメラ１に限るものではなく、ＭＤプレーヤ、ＣＤプレーヤ等にも同様に適用することができる。
【００７０】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００７１】
【発明の効果】
請求項１記載の発明の情報記録再生装置によれば、情報記録再生装置の本体筐体の外面部分に、予備の情報記録媒体を着脱可能に装着する予備媒体収納部を形成しているので、予備の情報記録媒体の有無の確認及び着脱を簡単かつ容易なものとすることができ、安価に利用性を向上させることができる。
【００７２】
請求項２記載の発明の情報記録再生装置によれば、予備媒体収納部を、所定の厚みを有する板形状の情報記録媒体に応じた溝形状に形成しているので、予備媒体収納部をより簡単かつ小型の形状とすることができ、安価に利用性を向上させることができる。
【００７３】
請求項３記載の発明の情報記録再生装置によれば、予備媒体収納部に、少なくとも予備の情報記録媒体が予備媒体収納部内に完全に収納された状態で、当該情報記録媒体に付与されている当該情報記録媒体の種類、記憶容量等の情報記録媒体情報を外部から視認可能な位置に開口窓を形成しているので、予備の情報記録媒体の有無をより一層簡単かつ確実に確認できるようにすることができるとともに、当該予備の情報記録媒体の種類や記憶容量等を容易に確認することができ、安価により一層利用性を向上させることができる。
【００７４】
請求項４記載の発明の情報記録再生装置によれば、予備媒体収納部を、少なくとも予備の情報記録媒体が予備媒体収納部内に完全に収納された状態で、当該情報記録媒体に形成されている接点部を被覆する形状に形成しているので、情報記録媒体の接点部が外部からの外力外力や静電気により破壊されることを防止することができ、情報記録媒体を適切に保護して、安価により一層利用性を向上させることができる。
【００７５】
請求項５記載の発明の情報記録再生装置によれば、予備の情報記録媒体が予備媒体収納部内に完全に収納された状態で、当該情報記録媒体に係合して、当該情報記録媒体の脱落を防止するロック機構を設けているので、情報記録媒体が予備媒体収納部内から不用意に脱落するのを防止することができ、安価により一層利用性を向上させることができる。
【００７６】
請求項６記載の発明の情報記録再生装置によれば、情報記録再生装置の本体筐体の外面部分に、所定の厚みを有しその一面に種類、記憶容量等の情報記録媒体情報の記載された板形状のメモリカードを収納可能な溝形状の予備媒体収納部を形成し、当該予備媒体収納部に、少なくとも予備のメモリカードが予備媒体収納部内に完全に収納された状態で、情報記録媒体情報を視認可能で、かつ、当該メモリカードの接点部を被覆する状態で開口窓を形成し、当該予備媒体収納部近傍に、当該予備媒体収納部方向に所定の弾性部材で付勢され、かつ、回転可能なロック部材を設けており、予備のメモリカードが予備媒体収納部内に完全に収納された状態で、ロック部材を弾性部材で付勢して当該メモリカードに係合させているので、予備のメモリカードの有無の確認、その種類と記憶容量の確認及び着脱を簡単かつ容易なものとすることができるとともに、不用意にメモリカードが予備媒体収納部から脱落するのを防止することができ、安価により一層利用性を向上させることができる。
【図面の簡単な説明】
【図１】本発明の情報記録再生装置の一実施の形態を適用したデジタルカメラの斜視図。
【図２】図１のデジタルカメラの予備メモリカード収納部にメモリカードを挿入途中の予備メモリカード収納部部分の正面拡大断面図。
【図３】図１のデジタルカメラの予備メモリカード収納部にメモリカードを完全に挿入した状態の予備メモリカード収納部部分の正面拡大断面図。
【図４】予備メモリカード収納部を本体筐体の裏面側端部に形成したデジタルカメラの斜視図。
【符号の説明】
１デジタルカメラ
２　本体筐体
３　レンズ部
４　シャッタ部
５　メモリカード
６　予備メモリカード収納部
７　ラベル部
８　接点部
９　切り欠き部
１０　開口窓
１１　ロック部材
１１ａ　爪部
１２　回転軸
１３　スプリング
【図１】
2004015644.tif 000003
【図２】
2004015644.tif 000004
【図３】
2004015644.tif 000005
【図４】
2004015644.tif 000006